(57)【要約】  本発明の様々なアスペクトに基づくアクチュエータ・システムのための方法及び装置は、ハウジングと；変形可能部分を有するスリーブと；このスリーブに力を加えるための駆動源と；を含んでいる。このスリーブは、ハウジングに対してシールされていて、ハウジングの中に収容され、且つ、その中で移動するように構成されている。駆動源は、上記スリーブの一部に対して力を加えて、上記変形可能部分を変形させ且つ移動させる（図１）
2009538406.tif 000002
【特許請求の範囲】
【請求項１】
ハウジング、スリーブ、及び駆動源を有するアクチュエータ・システムであって：
前記ハウジングは、内壁と、開放端と、を有し；
前記スリーブは、
前記ハウジングの開放端に対してシールされた外側部分を有する第一の端と、
前記ハウジングの内壁にスライド可能に係合する外側部分を有する第二の端と、
第一の端と第二の端の間にあって、選択された力に応答して変形するように構成された変形可能部分と、
を有し；
前記駆動源は、前記スリーブの第二の端に係合し、且つ、前記スリーブの第二の端に力を加えるように構成されていること；
を特徴とするアクチュエータ・システム。
【請求項２】
下記特徴を有する請求項１に記載のアクチュエータ・システム：
前記スリーブの変形可能部分は、少なくともキャビティの一部を規定するスリーブの外面の一部を有している。
【請求項３】
下記特徴を有する請求項１に記載のアクチュエータ・システム：
前記ハウジング及び前記スリーブは、前記スリーブの第一の端と第二の端の間のキャビティを規定している。
【請求項４】
下記特徴を有する請求項１に記載のアクチュエータ・システム：
前記変形可能部分は、選択されたスレッショルド力に応答して変形するように構成されている。
【請求項５】
下記特徴を有する請求項１に記載のアクチュエータ・システム：
前記変形可能部分は、選択的に軟化された金属を有している。
【請求項６】
下記特徴を有する請求項１に記載のアクチュエータ・システム：
前記変形可能部分は、焼鈍された材料を有している。
【請求項７】
下記特徴を有する請求項５に記載のアクチュエータ・システム：
前記焼鈍された材料は、帯状に焼鈍されている。
【請求項８】
下記特徴を有する請求項５に記載のアクチュエータ・システム：
前記焼鈍された材料は、誘導焼鈍されている。
【請求項９】
下記特徴を有する請求項５に記載のアクチュエータ・システム：
前記焼鈍された材料は、高周波誘導焼鈍されている。
【請求項１０】
下記特徴を有する請求項１に記載のアクチュエータ・システム：
前記変形可能部分は、長手方向の軸を有するシリンダを有し；
前記変形可能部分は、この長手方向の軸から離れるように径方向に曲がるように構成されている。
【請求項１１】
下記特徴を有する請求項１に記載のアクチュエータ・システム：
前記駆動源は、爆薬を有している。
【請求項１２】
実質的に円筒形のハウジングと、中空の内部を有する実質的に円筒形のスリーブと、このスリーブの中空の内部の中に配置された移動可能要素と、を有するアクチュエータ・システムであって：
前記ハウジングは、内壁と、開放端と、閉鎖端と、を有し；
前記スリーブは、
前記ハウジングの開放端に隣接してシールされ、キャビティの一部を規定する外側部分を有する第一の端と、
前記ハウジングの内壁にスライド可能に係合し、前記キャビティの一部を規定する外側部分を有する第二の端と、
第一の端と第二の端の間の変形可能部分と；
を有し；
前記変形可能部分の表面は、前記キャビティの一部を規定し、且つ、前記変形可能部分は、選択されたスレッショルド力に対して応答することによって変形するように構成され；
爆薬を用いる駆動源が、前記スリーブの第二の端に隣接して前記ハウジングの中に配置され、且つ、前記スレッショルド力を前記スリーブの第二の端に加えるように構成されていること；
を特徴とするアクチュエータ・システム。
【請求項１３】
下記特徴を有する請求項１２に記載のアクチュエータ・システム：
前記変形可能部分は、選択的に軟化された金属を有している。
【請求項１４】
下記特徴を有する請求項１２に記載のアクチュエータ・システム：
前記変形可能部分は、焼鈍された材料を有している。
【請求項１５】
下記特徴を有する請求項１４に記載のアクチュエータ・システム：
前記焼鈍された材料は、帯状に焼鈍されている。
【請求項１６】
下記特徴を有する請求項１４に記載のアクチュエータ・システム：
前記焼鈍された材料は、誘導焼鈍されている。
【請求項１７】
下記特徴を有する請求項１４に記載のアクチュエータ・システム：
前記焼鈍された材料は、高周波誘導焼鈍されている。
【請求項１８】
下記特徴を有する請求項１２に記載のアクチュエータ・システム：：
前記変形可能部分は、
長手方向の軸を有するシリンダを有し；且つ、前記変形可能部分は、この長手方向の軸から離れるように径方向に曲がるように構成されている。
【請求項１９】
要素を動かす方法であって：
内壁と開放端とを有するハウジングを用意し；
中空の内部を有し、前記要素を受けるスリーブであって、前記ハウジングの開放端に対してシールされた外側部分を有する第一の端と；前記ハウジングの内壁にスライド可能に係合する第二の端と；第一の端と第二の端の間の変形可能部分と；を有するスリーブを用意し；
前記スリーブの第二の端にスレッショルド力を加え；
このスレッショルド力に応答して前記変形可能部分を変形させること；
を特徴とする方法。
【請求項２０】
下記特徴を有する請求項１９に記載の方法：
前記スリーブの第二の端と前記ハウジングの内壁の間を通る漏出ガスを受けるためのキャビティを、前記ハウジングの中に用意すること、更に有している。
【請求項２１】
下記特徴を有する請求項１９に記載の方法：
前記変形可能部分は、選択的に軟化された金属を有している。
【請求項２２】
下記特徴を有する請求項１９に記載の方法：
前記変形可能部分は、焼鈍された材料を有している。
【請求項２３】
下記特徴を有する請求項２２に記載の方法：
前記焼鈍された材料は、帯状に焼鈍されている。
【請求項２４】
下記特徴を有する請求項２２に記載の方法：
前記焼鈍された材料は、誘導焼鈍されている。
【請求項２５】
下記特徴を有する請求項２２に記載の方法：
前記焼鈍された材料は、高周波誘導焼鈍されている。
【請求項２６】
下記特徴を有する請求項１９に記載の方法：
前記変形可能部分を変形させることは、前記変形可能部分を、前記スリーブの長手方向の軸から離れるように径方向に曲げること、を有している。
【発明の詳細な説明】
【技術分野】
【０００１】
本発明の様々なアスペクトに基づく方法及び装置は、アクチュエータに関係している。
【背景技術】
【０００２】
例えば、ミサイルの燃料供給で使用されるアクチュエータのようなアクチュエータ、及び他の時間的要求が厳しいシステムに使用されるアクチュエータは、高い性能要求を満足させなければならない。それらのアクチュエータは、極めて迅速に動作を開始し、それにより、開始信号の受取りと動作の開始の間の時間遅れを減少させなければならない。それらのアクチュエータはまた、動作の開始と動作の完了の間の時間を減少させて、迅速に動作を完了させなければなない。これらの高い性能要求を満足させるために、アクチュエータは、しばしば、爆薬装置を使用して動作を発生させている。
【０００３】
不都合なことに、爆薬装置により作り出されたガスは、しばしば、アクチュエータ・ハウジングから押し出されて、アクチュエータによりコントロールされる燃料またはガスのコンタミネーションを生じさせる。或る場合には、このコンタミネーションは、全体のシステム性能を大きく低下させることがある。それに加えて、アクチュエータは、過酷な環境において、数年または数十年の間、使用されないまま経過した後に、効率良く動作しなければならないことがある。
【０００４】
シールが、パイロ・バルブ・アクチュエータ（pyro-valve actuator）から漏出するガスの量を減少させるために、使用されることが可能である。しかしながら、シールは、一般的に、効率良く機能することがない。問題は、シールが経年変化するに伴い劣化して、脆性及び形状変化が生ずることである。また、爆発からもたらされる高い温度のために、シールが燃えたり炭化したりすることがある。最後に、多くのシールが潤滑を必要とするので、その潤滑自体が、しばしば、コンタミナント（これは、シールにより解決しようとしているまさにその問題である）になってしまうことがある。
【０００５】
締り嵌めが、アクチュエータから漏出する漏出ガスの量を減少させることが可能な場合がある。不都合なことに、それらの装置は高価になりがちであり、アクチュエータの中で抵抗を生じさせ（これは、当該ユニットの性能を低下させることになる）、潤滑を要求し、しばしば、金属と金属の界面での焼き付きにより、アクチュエータ自体に損傷を生じさせることがある。
【０００６】
最後に、装置から漏出する漏出ガスを収容するための、ベローズ・システムを有するアクチュエータが開発されている。しかしながら、ベローズは、一般的に、装置のコスト、サイズ、及び複雑さの増大をもたらす。また、ベローズにより付け加えられる複雑さは、一般的に、装置の信頼性を損なうことになる。
【発明の開示】
【０００７】
本発明の様々なアスペクトに基づくアクチュエータ・システムのための方法及び装置は、ハウジングと；変形可能部分を有するスリーブと；このスリーブに力を加えるための駆動源と；を含んでいる。前記スリーブは、前記ハウジングに対してシールされ、前記ハウジングの中に配置され、且つ、その中で移動するように構成されている。前記駆動源は、前記スリーブの一部に対して力を加え、前記変形可能部分を変形させ且つ移動させる。
【発明を実施するための最良の形態】
【０００８】
本発明の代表的な要素、機能的な特徴、適用、および／または、優位性は、より詳細に描写され、記載され、及びクレイムされているように、組み立て及び運転の詳細の中にある。添付図面を参照しながら説明が行われるが、ここで、同様な参照符号は、典型的に、同様なパーツを示している。
【０００９】
これらの図の中の要素は、簡潔さ及び明瞭さに配慮して描かれており、必ずしも寸法に対応して描かれてはいない。例えば、図の中の要素の幾つかの寸法は、本発明の様々な実施形態の理解を容易にするために、他の要素に対して誇張されている場合がある。更に、“第一の”、“第二の”などの用語は、ここで、それが使用されている場合には、同様な要素の間の識別を行なうために使用されており、優先順位、または順序、または時系列を、必ずしも表すものではない。更にまた、明細書の中、および／または、請求項の中で、“前方”、“後方”、“上面”、“底面”、“上方”、“下方”などの用語は、それが使用されている場合には、一般的に、説明の目的のために使用されており、必ずしも、排他的な相対位置を包括的に記述するためのものではない。以上において使用されたいずれの用語も、適切な条件下で、置き換えられても良く、それによって、本発明の様々な実施形態が、明示的に示されあるいは記載された形態以外の、他の形態、および／または、向きで、動作可能となることがある。
【００１０】
本発明の以下の代表的な説明は、一般的に、代表的な実施形態及びベスト・モードの発明者の概念に関係しており、いずれの場合においても、本発明の適用範囲または形態を制限することは、意図されていない。むしろ、以下の説明は、本発明の様々な実施形態を実施するための便利な例を提供することが意図されている。開示された代表的な実施形態の中で記載されたいずれの要素の機能、および／または、配置についても、本発明の精神及び範囲から逸脱することなく、変更が行われても良い。
【００１１】
例えば、本発明の様々な代表的な実施は、アクチュエータの中で漏出をコントロールするための装置に適用されても良い。代表的なアプリケーションの、即ち、アクチュエータ・システムの詳細な説明が、特定の形態を実現するための開示として、示されているが、これらの開示内容は、本発明の様々な実施形態に基づくシールされたアクチュエータのための、開示されたシステム、装置、及び方法の、如何なるアプリケーションに一般化されても良い。
【００１２】
図１から４を参照すると、本発明の様々なアスペクトに基づくアクチュエータ・システム１００は、アクチュエータ・システム１００を通る材料の意図されていない移動を抑制しながら、それと同時に、動きを容易にするアクチュエータを、提供する。例えば、アクチュエータ・システム１００は、爆薬式作動装置により作り出される漏出ガスを収容するように構成されていても良い。ある実施形態において、アクチュエータ・システム１００は、ハウジング１１０、スリーブ１３０、及び駆動源１５０を有している。ハウジング１１０は、アクチュエータ・システム１００のコンポーネントを含んでいる。スリーブ１３０は、例えばピストンまたはロッドのようなものであって、駆動源１５０と移動される移動可能要素１５２との間の、移動可能なインタフェースをもたらす。駆動源１５０は、スリーブ１３０に力を加えて、スリーブ１３０を動かす。
【００１３】
ハウジング１１０は、例えば、金属、プラスチック、セラミック、または材料の組合せのような、アクチュエータ・システム１００のコンポーネントを収容するための、適切なハウジングを有していても良い。それに加えて、ハウジング１１０は、適切なやり方で構成されていても良い。この実施形態において、ハウジング１１０は、内壁１１２、開放端１１４及び閉鎖端１１６を有している。ハウジング１１０は、スリーブ１３０及び駆動源１５０を含んでいる。ハウジング１１０はまた、アクチュエータ・システム１００に関係することがあるガスまたは他のコンタミナントを、適切に収容するように構成されている。そのようなガスまたは他のコンタミナントは、爆薬式駆動源（explosive mover）１５０により作り出されることがある、例えば、ガス及びパーティクルなどである。この実施形態において、ハウジング１１０、スリーブ１３０、及び移動可能要素１５２は、一般的に、円筒形であるが、あらゆる適切な形状または形態が採用されても良い。代替的な実施形態において、ハウジング１１０の外面が、アクチュエータ・システム１００を操作するためのツールに係合するように構成されていても良い。例えば、ハウジング１１０の外面が、例えば、レンチに係合するために六角形であっても良い。
【００１４】
スリーブ１３０は、駆動源１５０により加えられる力に対して応答して、移動可能要素１５２に力を伝達し且つそれを移動させる。スリーブ１３０は、その完全性（integrity）を維持するように構成され、即ち、スリーブ１３０が駆動源１５０により加えられる力に対して応答するときに、コンタミナントの通過を可能にすることがある孔、亀裂、または他の開口の成長を抑制する。それに加えて、スリーブ１３０の動かない部分が、シールを形成するために、ハウジング１１０に取り付けられても良い。
【００１５】
スリーブ１３０は、力及び動きを移動可能要素１５２に伝えるように、適切なやり方で構成されていても良い。例えば、スリーブ１３０の一部は、駆動源１５０の作動の際に、ハウジング１１０の中で、内壁１１２に沿ってスライドするように構成されていても良い。この実施形態において、スリーブ１３０は、第一の端１３２、第二の端１３４、及び変形可能部分１３６を有している。第一の端１３２は、動かずにとどまり、第二の端１３４は、移動可能要素１５２に運動の力を伝達する。変形可能部分１３６は、第二の端１３４に加えられる力に応答して、変形し、動かない第一の端１３２に対する、第二の端１３４及び移動可能要素１５２の動きを容易にする。
【００１６】
特に、スリーブ１３０の第一の端１３２は、例えば、レーザ溶接、電子ビーム溶接、融接（fusion weld）などにより、ハウジング１１０の開放端１１４に対して、および／または、ハウジング１１０に取り付けられた構造に対して、シールされる。スリーブ１３０の第一の端１３２とハウジング１１０の間のシールされた接続部は、ガスまたは他のコンタミナントが、ハウジング１１０に浸入すること、または、そこから漏出することを防止する。代替的な実施形態において、スリーブ１３０の第一の端１３２は、例えば、ネジ式の接続具及びガスケットまたは他のシール可能な接続部を用いて、ハウジング１１０の開放端１１４に着脱可能に結合される。
【００１７】
スリーブ１３０の第二の端１３４は、ハウジング１１０の中に配置され、且つ、その中で移動するように構成されている。スリーブ１３０の第二の端１３４の外側部分１３８は、ハウジング１１０の内壁１１２にスライド可能に係合している。外側部分１３８の外径は、適切に、内壁１１２の内径と比べて僅かに小さく、第二の端１３４の移動経路をガイドし、スリーブ１３０の第二の端１３４とハウジング１１０の内壁１１２の間の、ガスの流れを制限する。
【００１８】
ある実施形態において、スリーブ１３０は、複数の要素を有していても良い。例えば、図３及び４を参照すると、スリーブ１３０は、第一の要素３１０及び第二の要素３１２を有していても良い。第一の要素３１０は、第一の端１３２を形成し、第二の要素３１２は、第二の端１３４を形成する。この実施形態において、第一の要素３１０は、第二の要素３１２の中に形成された開口の中に配置された中空チューブ３１４を含んでいる。中空チューブ３１４は、スリーブ１３０の変形可能部分１３６を、適切に規定する。
【００１９】
スリーブ１３０は、第二の端１３４と第一の端１３２の間に、阻止部材３１６を含んでいても良い。この阻止部材３１６は、駆動源１５０に応答して、スリーブ１３０の圧縮を適切にコントロールし、例えば、スリーブ１３０の過剰な圧縮を抑え、および／または、圧縮が完了に近づいたときに、スリーブ１３０の圧縮をより円滑に減速させる。阻止部材３１６は、スリーブ１３０の圧縮を選択的にコントロールするように、適切なやり方で構成されていても良い。例えば、この阻止部材３１６は、第二の端１３４、および／または、第二の要素３１２の外周の周りに、スカートを有している。
【００２０】
スカートの材料、および／または、構造は、スリーブ１３０の圧縮の減速及びコントロールを容易にするために、適切なクライテリアに基づいて選択されても良い。阻止部材３１６は、変形可能部分１３６の座屈と干渉することを避けるように構成されていても良い。更に、阻止部材３１６は、圧縮の後で、スリーブ１３０を圧縮された位置に保持するように構成されていても良い。例えば、スカートは、スカートの外面の上に形成された一つまたはそれ以上の止め具を含んでいても良く、それらの止め具は、圧縮の際に、ハウジング１１０の内面１１２に設けられた切欠きに係合しても良く、それによって、スリーブ１３０の再度の伸長を防止する。
【００２１】
アクチュエータ・システム１００は、外側部分１３８の内壁１１２の間で流体が移動することを抑えるために、更なる要素を含んでいても良い。例えば、従来の弾性体のＯリング１４４または粘性のある潤滑剤などのような、シールが、外側部分１３８の内壁１１２の間に配置されても良く、それによって、スリーブ１３０の第二の端１３４の外側部分１３８とハウジング１１０の内壁１１２の間の、ガスの流れを更に制限する。
【００２２】
スリーブ１３０の変形可能部分１３６は、十分な力がスリーブ１３０に対して加えられたとき、変形するように構成されている。変形可能部分１３６の変形は、第二の端１３４が第一の端１３２に対して移動することを可能にする。この実施形態において、変形可能部分１３６は、移動可能要素１５２から離れるように、径方向に外側に曲がることにより、座屈するように構成されている。移動可能要素１５２から離れるように曲がることにより、変形可能部分１３６は、移動可能要素１５２の動きと干渉しなくなる。それに加えて、変形可能部分１３６は、材料の完全性を失うことなく、適切に曲がるように構成されている。この実施形態において、スリーブ１３０の変形可能部分１３６は、アクチュエータ・システム１００のための隔離をもたらし、この隔離は、変形可能部分１３６が変形を開始してアクチュエータ・システム１００が動作を開始する前に、スリーブ１３０の第二の端１３４の後方に、圧力が形成されることを可能にする。
【００２３】
スリーブ１３０の変形可能部分１３６は、適切な材料を有していても良く、また、完全性を失うことなく曲がるために、適切なやり方で構成される。例えば、変形可能部分１３６は、選択された領域の周りで選択的に軟化され金属を有していても良く、この金属は、第二の端１３４に加えられる力に応答して、所定のやり方で、変形可能部分１３６の所望の座屈を、幾何学的に促進するように構成されたものである。ある実施形態において、変形可能部分は、焼鈍により軟化されても良く、この変形可能部分は、例えば材料を加熱及び冷却することによって、そのミクロ組織を変えることにより、材料の選択された部分の強度を変化させても良い。
【００２４】
この実施形態において、金属の変形可能部分１３６は、変形可能部分１３６の選択された領域を焼鈍することにより、座屈してシールを維持するように構成されても良く、それは、例えば、高周波誘導プロセスを用いて、スリーブ１３０の周りの選択された領域を帯状に焼鈍する（band anneal）ことにより行なわれる。焼鈍の適切な形態、例えば、レーザ焼鈍、および／または、電子ビーム焼鈍などが、変形可能部分１３６を形成するために適用されても良い。焼鈍は、金属の変形能を増大させて、選択された力が加えられた際に座屈を促進させる。焼鈍はまた、アクチュエータ・システム１００に特定のストローク長さを要求する特定のアプリケーションのための、スリーブ１３０の変形可能部分１３６のための所望のサイズの選択を容易にする。
【００２５】
更に、変形可能部分１３６は、スレッショルド値の力が加えられることによって、変形するように構成されていても良い。例えば、焼鈍の程度及び範囲は、変形に先立って変形可能部分１３６により支持可能な負荷に影響を及ぼすように調整されても良い。それに加えて、例えば材料の厚さまたは変形可能部分１３６の表面のような、変形可能部分１３６の物理的構造は、変形の前のスレッショルド力を実現するために、選択され、および／または、変更されても良い。
【００２６】
移動可能要素１５２は、アクチュエータ・システム１００の作動により、移動し、アクチュエータ・システム１００が、他のシステムに結合され、および／または、それに力を加えることを可能にする。移動可能要素１５２は、他のシステムを動かし且つそれに力を加えるための適切な移動可能要素を有していても良く、適切なやり方で構成されても良く、また、関係する機能を実現するための適切な材料を有していても良い。この実施形態において、移動可能要素１５２は、スリーブ１３０の第一の端１３２の中に形成された開口１４０の中に配置された実質的にリジッドなロッドを有していて、このロッドは、スリーブ１３０の変形可能部分１３６の中を通り、スリーブ１３０の第二の端１３４の中に入る。移動可能要素１５２は、移動可能要素１５２の外壁１５４が、スリーブ１３０の内壁１４２にスライド可能に係合するように、適切に構成されている。
【００２７】
図１及び２を参照すると、ある実施形態において、移動可能要素１５２は、第一の端１３２及びスリーブ１３０の変形可能部分１３６に隣接するスリーブ１３０の内壁１４２に、スライド可能に係合している。この移動可能要素１５２は、スリーブ１３０の第二の端１３４と接していても良い。
【００２８】
その代わりに、図３及び４を参照すると、移動可能要素１５２は、例えば、環状の突出部により、スリーブ１３０の内壁１４２に係合するように構成されていても良い。その突出部は、移動可能要素１５２の表面から径方向に、中空チューブ３１４の端と第二の要素３１２の内面の間に形成されたスペースの中に、伸びている。移動可能要素１５２は、第二の要素３１２の中を通って、第二の端１３４へ、伸びていても良い。移動可能要素１５２と第二の要素３１２の間のつなぎ目は、例えば溶接材料などにより、シールされていても良い。移動可能要素１５２は、例えば溶接などにより、環状の突出部と、中空チューブ３１４の端、および／または、第二の要素３１２の内面の間の、適当な位置に固定されても良い。移動可能要素１５２は、駆動源１５０が第二の端１３４に力を加えたときに、スリーブ１３０の全体の長さが減少したとき、スリーブ１３０の第一の端１３２から伸びても良い。
【００２９】
移動可能要素１５２は、例えば、レーザ溶接、電子ビーム溶接、融接などにより、第二の端１３４に固定されても良く、それによって、作動の後に、移動可能要素１５２がスリーブ１３０に接続されたまま残ることになる。あるいは、この移動可能要素１５２は、第二の端１３４と接していても良く、それによって、作動の後に、移動可能要素１５２がスリーブ１３０から解放され、効率良く移動可能要素１５２をスリーブ１３０から発射することになる。それに加えて、移動可能要素１５２は、省略されても良い。例えば、アクチュエータ・システム１００は、システムの中の容積を変えることによって、スリーブ１３０の第一の端１３２に隣接するシステムの中の流体圧力を変えることにより、作動しても良い。移動可能要素１５２は、必要とされない。その理由は、スリーブ１３０の圧縮及びスリーブ１３０の内壁により規定される容積が、流体圧力の変化を引き起こすために、十分である場合もあるからである。
【００３０】
アクチュエータ・システム１００が作動されたとき、駆動源１５０は、スリーブ１３０の第二の端１３４に力を加える。駆動源１５０は、第二の端１３４に力を加えるための適切な機構を有していても良い。例えば、駆動源１５０は、爆薬及び爆発機構を有していても良い。この実施形態において、駆動源１５０は、ハウジング１１０の閉鎖端１１６の内側部分１１８に隣接して、爆薬を有している。爆薬は、例えば、電気信号を受けるための配線、ヒューズ、または衝撃を受けるための打撃面のような、爆発機構に接続される。それに代わって、駆動源１５０は、第二の端１３４に力を加えるための、機械的なシステムまたは油圧システムを有していても良い。駆動源１５０は、ハウジング１１０の中で適切にシールされ、例えば、爆発による圧力の増大を確保する。
【００３１】
アクチュエータ・システム１００は、変形可能部分１３６が十分に伸ばされた状態で、作動を開始する。アクチュエータ・システム１００が作動されたとき、駆動源１５０は、スリーブ１３０の第二の端１３４に力を及ぼす。例えば、爆薬が、急激に膨張するガスを発生させて、ハウジング１１０の中のガス圧力を増大させても良い。増大したガス圧力は、スリーブ１３０の第二の端１３４に力を加え、この第二の端は、スリーブ１３０の長さに沿って、力を伝達する。力が増大すると、変形可能部分１３６が変形し始め、第二の端１３４が動き始める。スリーブ１３０の変形可能部分１３６が座屈すると、第二の端１３４が、移動可能要素１５２をスリーブ１３０からを押し出す。
【００３２】
力がスリーブの長さに沿って加えられると、スリーブ１３０の変形可能部分１３６が、キャビティの中に座屈し、このキャビティは、スリーブ１３０とハウジング１１０の間の閉じ込め領域１４６として機能することがある。閉じ込め領域１４６は、スリーブ１３０の第二の端１３４の外側部分１３８とハウジング１１０の内壁１１２の間を流れることがある漏出ガスを受けて、それを保持しても良い。シールは、第一の端１３２とハウジング１１０の間、及び変形可能部分１３６の表面は、ガスをハウジング１１０の中に保持する。
【００３３】
以上の説明の中で、本発明が、特定の代表的な実施形態を参照しながら説明された。様々な変形及び変更が、請求項の中で規定された本発明の範囲から逸脱することなく、行われても良い。以上の説明及び図は、例として示されたものであると理解すべきであり、本発明の範囲を限定するものではない。従って、本発明の範囲は、単に以上に記載された例によるのみではなく、請求項及びその法的な均等範囲により決定されるべきである。
【００３４】
例えば、方法またはプロセスについての請求項の中で挙げられたステップは、いかなる順序によっても実行されても良く、請求項の中で提示された特定の順序のみに限定されない。それに加えて、装置についての請求項の中で挙げられたコンポーネント、および／または、要素は、本発明と同一の結果を実質的に作り出す様々な変形形態で、組み合わされまたは他のやり方で機能的に構成されても良く、従って、以上で挙げられた特定の形態に限定されない。
【００３５】
利点、他の優位性、及び問題に対するソリューションが、特定の実施形態に関して、以上に記載されている。利点、優位性、問題に対するソリューション、または、特定の利点、優位性またはソリューションを生じさせまたはそれをより顕著にすることがある要素は、いずれかまたは全ての請求項の臨界的な、必要な、または本質的な特徴またはコンポーネントとして解釈されるべきではない。
【００３６】
“有する（comprise）”、“有する（comprises）”、“有する（comprising）”、“有する（having）”、“含む（including）”、“含む（includes）”との用語、またはその変形形態は、非排他的に包含することを表すことが意図されており、従って、プロセス、方法、物品、組成、または要素のリストを有する装置は、以上で挙げられた要素のみを含むのみでなく、明示的に列挙されていない他の要素、または、そのようなプロセス、方法、物品、組成または装置に固有の要素を含んでいても良い。本発明の実施の中で使用される、上述の構造、配置、適用、比率、要素、材料またはコンポーネントの、他の組合せ、および／または、変形は、特別に挙げられていないものをも加えて、一般原理から逸脱することなく、変更され、あるいは、特定の環境、製造仕様、設計パラメータ、または他の運転上の要求に特に適合されても良い。
【図面の簡単な説明】
【００３７】
【図１】図１は、アクチュエータ・システムの断面図であって、作動前の、後退位置にある移動可能要素を示している。
【図２】図２は、アクチュエータ・システムの断面図であって、作動後の、伸長位置にある移動可能要素を示している。
【図３】図３は、代替的なアクチュエータ・システムの断面図であって、作動前の、後退位置にある移動可能要素を示している。
【図４】図４は、代替的なアクチュエータ・システムの断面図であって、作動後の、伸長位置にある移動可能要素を示している。
【図１】
2009538406.tif 000003
【図２】
2009538406.tif 000004
【図３】
2009538406.tif 000005
【図４】
2009538406.tif 000006
【国際調査報告】
2009538406.tif 000007